(57)【要約】【課題】家屋の外壁に面してプロパンボンベが配設され、また、このプロパンボンベと隣接してエアコン室外機が設置される場合に、エアコン室外機の熱交換効率の向上を図ることができ、また、プロパンボンベを覆うことによって美観を保つことができ、しかも、製造コストが低減可能な、エアコン室外機用カバー体を提供すること。【解決手段】エアコン室外機用カバー体４０が、少なくとも、エアコン室外機８１の上方を覆う天板４０ｔと、エアコン室外機８１の右側方を覆う右側板４０ｍと、エアコン室外機８１の左側方を覆う左側板４０ｈと、を備え、右側板４０ｍ、或いは、左側板４０ｈの上方に、壁体１０が止着具１４によって止着可能に構成され、壁体１０が右側板４０ｍ、或いは、左側板４０ｈの上方に止着された状態で、壁体１０の上端の位置が、プロパンボンベ８０の上端の位置より高くなるように構成される。【選択図】図１
2019174098.tif 000002
【特許請求の範囲】
【請求項１】
家屋の外壁に面して配設されるプロパンボンベと隣接して、前記家屋の外壁に面して設置されるエアコン室外機を覆うエアコン室外機用カバー体であって、
前記外壁に対して前記エアコン室外機が設置される方向を前方とし、この前方側から後方側を見たとき、右側を右側方とし、左側を左側方としたとき、
前記室外機用カバー体が、少なくとも、前記エアコン室外機の上方を覆う天板と、前記エアコン室外機の右側方を覆う右側板と、前記エアコン室外機の左側方を覆う左側板と、を備え、
前記右側板、或いは、前記左側板の上方に、壁体が止着具によって止着可能に構成され、
前記壁体が前記右側板、或いは、前記左側板の上方に止着された状態で、前記壁体の上端の位置が、前記プロパンボンベの上端の位置より高くなるように構成されていることを特徴とするエアコン室外機用カバー体。
【請求項２】
前記止着具が、固定用雄ネジであり、前記右側板の上方、および、前記左側板の上方の双方に、前記固定用雄ネジが螺入される雌ネジを備えることを特徴とする請求項１記載のエアコン室外機用カバー体。
【請求項３】
前記天板、或いは、前記右側板、或いは、前記左側板と、前記外壁との間に、所定寸法の間隙を存して、前記天板、或いは、前記右側板、或いは、前記左側板が、前記外壁に固定されるように構成されることを特徴とする請求項１または請求項２記載のエアコン室外機用カバー体。
【発明の詳細な説明】
【技術分野】
【０００１】  本発明は、家屋の外壁に面して配設されるプロパンボンベと隣接して設置されるエアコン室外機を覆うカバー体の構造に関するものである。
【背景技術】
【０００２】  従来から、エアコン室外機を直射日光から保護するためのカバーが提案されている（例えば、特許文献１参照）。
【先行技術文献】
【特許文献】
【０００３】
【特許文献１】特開平１１−１５９８０９号公報
【特許文献２】特開平１１−２５７６００号公報
【発明の概要】
【発明が解決しようとする課題】
【０００４】  上記特許文献１に示される従来例にあっては、該カバーを用いることによって、エアコン室外機の熱交換効率の向上を図ることができるものであり有意義である。【０００５】  このようなカバーが用いられるエアコン室外機は、家屋の外壁に面して設置されることが少なくない。
また、ＬＰＧが供給される地域においては、家屋の外壁に面してプロパンボンベが配設されることも少なくない。【０００６】  家屋に隣接してプロパンボンベを配設されたときに、美観を保つために、従来から、プロパンボンベ収納庫が提案されている（例えば、特許文献２参照）。
このようなプロパンボンベ収納庫を用いることで、プロパンボンベを覆うことによって美観を保つことができ有意義である。【０００７】  ここで、例えば、家屋の外壁に面してプロパンボンベが配設され、また、このプロパンボンベと隣接してエアコン室外機が設置される場合も少なくないと考えられ、このような場合を想定すると、プロパンボンベを覆う構造物、および、エアコン室外機を直射日光から保護するためのカバーが個別に備える必要があるので、製造コストが高くなってしまう。【０００８】  本発明は上記の事情に鑑みてなされたものであって、その目的とするところは、家屋の外壁に面してプロパンボンベが配設され、また、このプロパンボンベと隣接してエアコン室外機が設置される場合に、エアコン室外機の熱交換効率の向上を図ることができ、また、プロパンボンベを覆うことによって美観を保つことができ、しかも、製造コストが低減可能な、エアコン室外機用カバー体を提供することにある。
【課題を解決するための手段】
【０００９】  前記の課題を解決するために、本発明によるエアコン室外機用カバー体は、家屋の外壁に面して配設されるプロパンボンベと隣接して、前記家屋の外壁に面して設置されるエアコン室外機を覆うエアコン室外機用カバー体であって、前記外壁に対して前記エアコン室外機が設置される方向を前方とし、この前方側から後方側を見たとき、右側を右側方とし、左側を左側方としたとき、前記室外機用カバー体が、少なくとも、前記エアコン室外機の上方を覆う天板と、前記エアコン室外機の右側方を覆う右側板と、前記エアコン室外機の左側方を覆う左側板と、を備え、前記右側板、或いは、前記左側板の上方に、壁体が止着具によって止着可能に構成され、前記壁体が前記右側板、或いは、前記左側板の上方に止着された状態で、前記壁体の上端の位置が、前記プロパンボンベの上端の位置より高くなるように構成されていることを特徴とする。【００１０】  このように構成することで、家屋の外壁に面してプロパンボンベが配設され、また、このプロパンボンベと隣接してエアコン室外機が設置される場合に、エアコン室外機の熱交換効率の向上を図ることができ、また、プロパンボンベを壁体で覆うことによって美観を保つことができ、しかも、製造コストが低減可能な、エアコン室外機用カバー体を提供できるに至った。【００１１】  なお、前記止着具が、固定用雄ネジであり、前記右側板の上方、および、前記左側板の上方の双方に、前記固定用雄ネジが螺入される雌ネジを備えることが好ましい。【００１２】  このように構成することで、家屋の外壁に面して設置されたエアコン室外機の、右側にプロパンボンベが配設された場合であれば右側板の上方に壁体を固定用雄ネジで止着し、左側にプロパンボンベが配設された場合であれば左側板の上方に壁体を固定用雄ネジで止着するという形態で、プロパンボンベの配設位置に応じて、プロパンボンベと近接させて壁体を適切に止着することができ、プロパンボンベを壁体で確実に覆うことができる。【００１３】  また、前記天板、或いは、前記右側板、或いは、前記左側板と、前記外壁との間に、所定寸法の間隙を存して、前記天板、或いは、前記右側板、或いは、前記左側板が、前記外壁に固定されるように構成されることが好ましい。【００１４】  このように構成することで、エアコン室外機用カバー体と家屋の外壁との間に、所定寸法の間隙を存して、エアコン室外機用カバー体がエアコン室外機を覆って設置されることになり、エアコン室外機の性能上必要な通風量が確保され、確実にエアコン室外機の熱交換効率の向上を図ることが可能となるのである。
【発明の効果】
【００１５】  本発明によって、エアコン室外機の熱交換効率の向上を図ることができ、また、プロパンボンベを壁体で覆うことによって美観を保つことができ、しかも、製造コストが低減可能な、エアコン室外機用カバー体を提供できるに至った。
また、プロパンボンベの配設位置に応じて、プロパンボンベと近接させて壁体を適切に止着することができ、プロパンボンベを壁体で確実に覆うことができる。
また、エアコン室外機用カバー体と家屋の外壁との間に、所定寸法の間隙を存して、エアコン室外機用カバー体がエアコン室外機を覆って設置されることになり、エアコン室外機の性能上必要な通風量が確保され、確実にエアコン室外機の熱交換効率の向上を図ることが可能となる。
【図面の簡単な説明】
【００１６】
【図１】本発明の一実施形態のエアコン室外機用カバー体の斜視図である。
【図２】本発明の一実施形態の、プロパンボンベがエアコン室外機用カバー体の右側に位置するときの、エアコン室外機用カバー体の平面図である。
【図３】本発明の一実施形態の、プロパンボンベがエアコン室外機用カバー体の左側に位置するときの、エアコン室外機用カバー体の平面図である。
【図４】本発明の一実施形態の、壁体を右側板の上方に止着する途中状態を示す側面図である。
【図５】本発明の一実施形態の、壁体を左側板の上方に止着する途中状態を示す側面図である。
【図６】本発明の一実施形態の、壁体を左側板の上方に止着する途中状態を示す図である。
【発明を実施するための形態】
【００１７】  以下、本発明の実施の形態について、図面を参照しながら説明する。
【００１８】  図１に示すように、室外機用カバー４０は、家屋の外壁８２に面して配設されるプロパンボンベ８０（図中に、二点鎖線にて記載。）と隣接して、家屋の外壁８２（図２、図３参照。）に面して設置されるエアコン室外機８１（図中に、二点鎖線にて記載。）を覆うエアコン室外機用カバー体である。
【００１９】  そして、外壁８２に対してエアコン室外機８１が設置される方向を前方とし、この前方側から後方側を見たとき、右側を右側方とし、左側を左側方としたとき、室外機用カバー４０が、エアコン室外機８１の上方を覆う天板４０ｔと、エアコン室外機８１の右側方を覆う右側板４０ｍと、エアコン室外機８１の左側方を覆う左側板４０ｈと、を備えており、右側板４０ｍ、或いは、左側板４０ｈの上方に、壁体１０が止着具によって止着可能に構成されている。因みに、図１は、右側板４０ｍの上方に壁体１０が止着具によって止着された状態を示す。なお、壁体１０が止着具によって止着される点に関しては、後に詳述する。
【００２０】  なお、壁体１０が右側板４０ｍ、或いは、左側板４０ｈの上方に止着された状態で、壁体１０の上端の位置が、プロパンボンベ８０の上端の位置より高くなるように構成されている。
【００２１】  室外機用カバー４０は、このように構成されており、家屋の外壁８２に面してプロパンボンベ８０が配設され、また、このプロパンボンベ８０と隣接してエアコン室外機８１が設置される場合に、天板４０ｔによって、エアコン室外機８１に照射される直射日光を遮ることができ、また、壁体１０によってプロパンボンベ８０を隠すことができるので、エアコン室外機８１の熱交換効率の向上を図ることができ、また、プロパンボンベ８０を覆うことによって美観を保つことができ、しかも、室外機用カバー４０に壁体１０を止着するだけの簡単な構造であるので、製造コストの低減が可能な、エアコン室外機用カバー体を提供することができるに至った。
【００２２】  なお、図２、図４に示すように、プロパンボンベ８０が室外機用カバー４０の右側に位置する場合は、壁体１０を室外機用カバー４０の右端、つまり、右側板４０ｍ（図１参照。）の上方に止着し、また、図３、図５に示すように、プロパンボンベ８０が室外機用カバー４０の左側に位置する場合は、壁体１０を室外機用カバー４０の左端、つまり、左側板４０ｈ（図１参照。）の上方に止着することになる。
【００２３】  なお、壁体１０を室外機用カバー４０の左端、つまり、左側板４０ｈ（図１、図６参照。）の上方に止着した後、壁体１０の右側を、第１化粧板１１（図５、図６参照。）にて覆うことにより、美観を良好に保つように構成されている。
因みに、図３、図５に示すように、プロパンボンベ８０が室外機用カバー４０の左側に位置する場合は、壁体１０を室外機用カバー４０の左端、つまり、左側板４０ｈの上方に止着した後、壁体１０の右側を、第１化粧板１１にて覆うことにより、美観が良好に保たれ、これとは異なり、図２、図４に示すように、プロパンボンベ８０が室外機用カバー４０の右側に位置する場合は、壁体１０を室外機用カバー４０の右端、つまり、右側板４０ｍの上方に止着した後、壁体１０の左側を、第２化粧板１２にて覆うことにより、美観が良好に保たれる。
【００２４】  なお、本実施形態では、壁体１０を室外機用カバー４０に止着する止着具が、固定用雄ネジ１４により構成され、右側板４０ｍの上方、および、左側板４０ｈの上方の双方に、固定用雄ネジ１４が螺入される雌ネジを備えている。（図６参照。）
また、本実施形態では、壁体１０が、天板４０ｔの上に載置されて、右側板４０ｍの上方、或いは、左側板４０ｈの上方に止着されるように構成されており、天板４０ｔには、固定用雄ネジ１４が貫通する貫通孔１５（図６参照。）を備える。
【００２５】  また、本実施形態では、天板４０ｔ、および、右側板４０ｍ、および、左側板４０ｈと、家屋の外壁８２との間に、所定寸法の間隙Ｂ（図２、図３参照。）を存して、天板４０ｔが家屋の外壁８２に固定されるように構成されている。
具体的には、図１、図２、図３に示すように、壁固定用金具７７を用いて、天板４０ｔを外壁８２に固定するように構成されており、壁固定用金具７７を用いて、天板４０ｔを外壁８２に固定することで、天板４０ｔ、および、右側板４０ｍ、および、左側板４０ｈと、家屋の外壁８２との間に、所定寸法の間隙Ｂが形成されるように構成されている。
【００２６】  本実施形態ではこのように構成されているので、エアコン室外機用カバー４０と家屋の外壁８２との間に、所定寸法の間隙Ｂを存して、エアコン室外機用カバー４０がエアコン室外機８１を覆って設置されることになり、エアコン室外機８１の性能上必要な通風量が確保され、確実にエアコン室外機８１の熱交換効率の向上を図ることが可能となっている。
【００２７】  なお、天板４０ｔ、および、右側板４０ｍ、および、左側板４０ｈと、家屋の外壁８２との間に、所定寸法の間隙Ｂを存して、天板４０ｔが、家屋の外壁８２に固定されるように構成されるのではなく、天板４０ｔ、或いは、右側板４０ｍ、或いは、左側板４０ｈと、家屋の外壁８２との間に、所定寸法の間隙Ｂを存して、右側板４０ｍ、或いは、左側板４０ｈの何れかが、家屋の外壁８２に固定されるように構成されてもよい。
【００２８】  発明は、上記実施形態に限定されるものではなく、本発明の範囲内において種々の変形を加えることが可能である。
【符号の説明】
【００２９】  １０  壁体
１１  第１化粧板
１２  第２化粧板
１４  固定用雄ネジ
１５  貫通孔
４０  室外機用カバー
４０ｈ  左側板
４０ｍ  右側板
４０ｔ  天板
７７  壁固定用金具
８０  プロパンボンベ
８１  エアコン室外機
８２  家屋の外壁
Ｂ    所定寸法の間隙
【図１】
2019174098.tif 000003
【図２】
2019174098.tif 000004
【図３】
2019174098.tif 000005
【図４】
2019174098.tif 000006
【図５】
2019174098.tif 000007
【図６】
2019174098.tif 000008